(57)【要約】【課題】機密性を保持した地紋データを用いて、文書の出所証明および原本証明を容易に実現することを可能にする。【解決手段】複合機２０５が、ＩＣカード（可搬性記録媒体）２０１から該ＩＣカードに格納された地紋データ２０３を読み出す一方、原稿２０２に対して画像読み取りを行い、印刷すべき画像データ（１）２０４を取得する。この取得された画像データ（１）２０４に、前記読み出された地紋データ２０３を合成して印刷データを作成し、この作成された印刷データに基づいて印刷を行い、地紋付き文書２０６を出力する。地紋データ２０３は、複写により残存する画像（ＩＣカードの所有者を特定する識別符号）と消失する画像（地紋模様）とを表すデータからなる。【選択図】図５
2006236312.tif 000002
【特許請求の範囲】
【請求項１】
ユーザが情報を書き込むことが可能な可搬性記録媒体から該可搬性記録媒体に格納された地紋データを読み出す読出手段と、
印刷すべき画像データを取得する取得手段と、
前記取得手段によって取得された画像データに、前記読出手段によって読み出された地紋データを合成して印刷データを作成する合成手段と、
前記合成手段によって作成された印刷データに基づいて印刷を行う印刷手段と
を有することを特徴とする印刷システム。
【請求項２】
前記可搬性記録媒体に格納された地紋データは、複写により残存する画像データを含むことを特徴とする請求項１記載の印刷システム。
【請求項３】
前記複写により残存する画像データは、該可搬性記録媒体のユーザを特定する情報を表す画像データであることを特徴とする請求項２記載の印刷システム。
【請求項４】
前記可搬性記録媒体に格納された地紋データは、複写により消失する画像データを含むことを特徴とする請求項１乃至３のいずれか１項に記載の印刷システム。
【請求項５】
前記複写により消失する画像データは、前記印刷すべき画像の背景模様を表す画像データであることを特徴とする請求項４記載の印刷システム。
【請求項６】
前記印刷システムは、原稿から画像データを読み取る画像読取手段を備えた印刷装置から成り、
前記読出手段と、前記取得手段と、前記合成手段と、前記印刷手段とは、前記印刷装置に含まれ、前記取得手段は、前記画像読取手段によって読み取られた画像データを取得することを特徴とする請求項１乃至５のいずれか１項に記載の印刷システム。
【請求項７】
前記印刷システムは、ネットワークを介して接続された情報処理装置と印刷装置とから成り、前記情報処理装置は、画像データを生成する生成手段を備え、
前記読出手段と、前記取得手段と、前記合成手段とは、前記情報処理装置に含まれ、前記取得手段は、前記生成手段によって生成された画像データを取得し、
前記印刷手段は前記印刷装置に含まれることを特徴とする請求項１乃至５のいずれか１項に記載の印刷システム。
【請求項８】
前記印刷システムは、ネットワークを介して接続された情報処理装置と印刷装置とから成り、前記情報処理装置は、画像データを生成する生成手段を備え、
前記取得手段は前記情報処理装置に含まれ、前記取得手段は、前記生成手段によって生成された画像データを取得し、
前記読出手段と、前記合成手段と、前記印刷手段とは、前記印刷装置に含まれることを特徴とする請求項１乃至５のいずれか１項に記載の印刷システム。
【請求項９】
前記可搬性記録媒体に記録される地紋データが、前記可搬性記録媒体に暗号化された状態で記録されている場合に、前記暗号化された地紋データの復号化を行う復号化手段をさらに含むことを特徴とする請求項１乃至８のいずれか１項に記載の印刷システム。
【請求項１０】
前記取得手段によって取得された画像データによって印刷される画像に対して、前記合成される地紋データに対応する画像の位置を設定する設定手段を更に有することを特徴とする請求項１乃至９のいずれか１項に記載の印刷システム。
【請求項１１】
前記可搬性記録媒体は、カード状であることを特徴とする請求項１乃至１０のいずれか１項に記載の印刷システム。
【請求項１２】
前記カード状の可搬性記録媒体は、ＩＣカードであることを特徴とする請求項１１に記載の印刷システム。
【請求項１３】
前記ＩＣカードは接触方式のＩＣカードであり、
前記読出手段は、該読出手段に装着されたＩＣカードから地紋データを読み出すことを特徴とする請求項１１に記載の印刷システム。
【請求項１４】
前記ＩＣカードは非接触方式のＩＣカードであり、
前記読出手段は、前記ＩＣカードから地紋データを非接触方式で読み出すことを特徴とする請求項１１に記載の印刷システム。
【請求項１５】
前記ＩＣカードは、前記地紋データを生成するための演算処理を行う演算部が内部に設けられており、
前記読出手段は、前記ＩＣカード内の演算部で生成された地紋データを取得することを特徴とする請求項１２乃至１４のいずれか１項に記載の印刷システム。
【請求項１６】
ユーザが情報を書き込むことが可能な可搬性記録媒体から該可搬性記録媒体に格納された地紋データを読み出す読出ステップと、
印刷すべき画像データを取得する取得ステップと、
前記取得ステップによって取得された画像データに、前記読出ステップによって読み出された地紋データを合成して印刷データを作成する合成ステップと、
前記合成ステップによって作成された印刷データに基づいて印刷を行う印刷ステップと
を有することを特徴とする印刷制御方法。
【請求項１７】
印刷制御方法を、コンピュータに実行させるためのプログラムにおいて、
ユーザが情報を書き込むことが可能な可搬性記録媒体から該可搬性記録媒体に格納された地紋データを読み出す読出ステップと、
印刷すべき画像データを取得する取得ステップと、
前記取得ステップによって取得された画像データに、前記読出ステップによって読み出された地紋データを合成して印刷データを作成する合成ステップと、
前記合成ステップによって作成された印刷データに基づいて印刷を行う印刷ステップと
を有することを特徴とするプログラム。
【請求項１８】
請求項１７に記載のプログラムを格納したことを特徴とするコンピュータ読取可能な記憶媒体。
【発明の詳細な説明】
【技術分野】
【０００１】
本発明は、印刷システム、印刷制御方法、プログラム、及び記録媒体に関し、特に、出所証明および原本証明を行うことができる文書を印刷するための印刷システム、該印刷システムに適用される印刷制御方法、該印刷制御方法をコンピュータに実行させるためのプログラム、及び該プログラムを格納した記録媒体に関する。
【背景技術】
【０００２】
従来、文書の正当性を示すために、捺印やサインといった手法が利用され、これによって、文書の出所証明や原本の証明が行われてきた。また、それら原本の複写を抑制するために、コピー牽制地紋や、電子透かしといった手法が利用され、これによって、原本の正当性が証明されてきた。
【０００３】
原本の複写を抑制するために行われる電子透かしでは、原本となる文書に、電子的に解析可能な模様または情報を印刷しておき、この電子透かしが施されている文書を複写しようとした場合、複写機がその模様または情報を検出して、原本では目視できない文字または模様を、複写された用紙に付加するようにする。このような電子透かし技術を用いることにより、複写されたものが原本として扱われることを防止することができる。
【０００４】
また、複写機で複写すると一部が消失してしまう地紋を帳票文書に付加することにより、帳票文書の複写を抑制するようにした印刷装置が提案されている（例えば、特許文献１参照）。
【特許文献１】特開２００１−３２４８９８号公報
【発明の開示】
【発明が解決しようとする課題】
【０００５】
ところで、上記従来の電子透かし技術を用いて、複写されたものが原本として扱われることを防止するためには、すべての複写機が、電子透かしを検出可能な複写機である必要がある。しかしながら、これは現実的ではなく、そのため、電子透かし技術に対応していない複写機、すなわち、電子透かしを検出することが不可能な複写機によって、原本が複写されてしまう恐れがある。
【０００６】
また、電子透かし等の技術を利用して、文書の出所を明示する個人証明を行う場合には、電子透かしのデータなどの個人証明に利用する情報が必要となる。そうした電子透かし情報を他人が簡単に入手できてしまう場合、個人証明とならないため、この電子透かし情報を機密に保持する必要がある。
【０００７】
また、特殊な地紋を文書に付加することにより、帳票文書の複写を抑制するようにした上記従来の印刷装置では、その特殊な地紋のデータを機密に保持する有効な方法がないと、該特殊な地紋を、文書の出所を証明するための手段としては利用することができないという問題点があった。
【０００８】
上記の特殊な地紋のデータを機密に保持する方法として、印刷装置の記憶装置に、パスワードや認証によって機密保護される記憶領域を設け、該記憶領域に地紋データを予め格納する方法が存在する。しかし、この方法では、地紋データを記憶領域に予め格納しておく必要があるため、ユーザが外出先などにある任意の印刷装置を利用して、地紋データが付加された文書を印刷することは容易でないという問題があった。
【０００９】
本発明はこのような問題点に鑑みてなされたものであって、機密性を保持した地紋データを用いて、文書の出所証明および原本証明を容易に実現することを可能にした印刷システム、印刷制御方法、プログラム、及び記録媒体を提供することを目的とする。
【課題を解決するための手段】
【００１０】
上記目的を達成するために、請求項１記載の発明によれば、ユーザが情報を書き込むことが可能な可搬性記録媒体から該可搬性記録媒体に格納された地紋データを読み出す読出手段と、印刷すべき画像データを取得する取得手段と、前記取得手段によって取得された画像データに、前記読出手段によって読み出された地紋データを合成して印刷データを作成する合成手段と、前記合成手段によって作成された印刷データに基づいて印刷を行う印刷手段とを有することを特徴とする印刷システムが提供される。
【００１１】
また、請求項１６記載の発明によれば、ユーザが情報を書き込むことが可能な可搬性記録媒体から該可搬性記録媒体に格納された地紋データを読み出す読出ステップと、印刷すべき画像データを取得する取得ステップと、前記取得ステップによって取得された画像データに、前記読出ステップによって読み出された地紋データを合成して印刷データを作成する合成ステップと、前記合成ステップによって作成された印刷データに基づいて印刷を行う印刷ステップとを有することを特徴とする印刷制御方法が提供される。
【００１２】
さらに、上記印刷制御方法をコンピュータに実行させるためのプログラムが提供される。
【００１３】
またさらに、上記プログラムを格納した記録媒体が提供される。
【発明の効果】
【００１４】
本発明によれば、ユーザが情報を書き込むことが可能な可搬性記録媒体から該可搬性記録媒体に格納された地紋データを読み出す一方、印刷すべき画像データを取得する。この取得された画像データに、前記読み出された地紋データを合成して印刷データを作成し、この作成された印刷データに基づいて印刷を行う。
【００１５】
なお、前記可搬性記録媒体に格納された地紋データは、複写により残存する画像と消失する画像とを表すデータからなり、前記複写により残存する画像は、前記可搬性記録媒体の所有者を特定する識別符号を表す画像であり、前記複写により消失する画像は、地紋模様を表す画像である。
【００１６】
これにより、文書の出所証明および原本証明を容易に実現でき、しかも、個人証明を可能にする地紋データは可搬性記録媒体に格納されるため、地紋データを特定の印刷システムに予め登録することなく、本発明が適用された任意の印刷システム上で文書の印刷が可能となる。
【００１７】
また、可搬性記録媒体から地紋データを読み出すために、ユーザ認証や所定のプロトコルによる読み取り処理または地紋データの復号化処理が必要となる。これが、地紋データの機密性を確保することにつながる。
【００１８】
さらに、可搬性記録媒体をＩＣカードで構成した場合には、ＩＣカード内の演算装置によって、地紋データそのものを生成するようにする。これによって、予め生成された地紋データをＩＣカードに記録する方法に比較して、地紋データが外部に流出する可能性を低く抑えることができ、機密性をより保つことが可能となる。
【発明を実施するための最良の形態】
【００１９】
以下、本発明を実施するための最良の形態について、図面を参照して説明する。
【００２０】
〔第１の実施の形態〕
図１は、本発明の第１の実施の形態に係る印刷装置としての複合機の構成を示すブロック図である。
【００２１】
この複合機は、画像読取機能、印刷機能、ファクシミリ通信機能等を備えた機器であり、ｑ０１は、こうした複合機全体を制御するためのコントローラであり、コントローラｑ０１の内部構成については、図２を参照して後述する。
【００２２】
ｑ０２は、コントローラｑ０１が複合機の外部装置と通信するための通信インターフェースであり、例えば、イーサネット（登録商標）インターフェース、ＩＥＥＥ１２８４インターフェース、またはその他の通信インターフェースからなる。
【００２３】
ｑ０３は、画像読取機能を持つスキャナエンジンであり、コントローラｑ０１によって制御される。
【００２４】
ｑ０４は、印刷機能を持つプリンタエンジンであり、コントローラｑ０１によって制御される。該プリンタエンジンｑ０４は、レーザービームプリンタ、インクジェットプリンタ、またはその他のプリンタからなる。
【００２５】
ｑ０５は、画像のファクシミリ送受信時の通信制御などを行う、ファクシミリ通信機能を実現させるためのＦＡＸボードであり、コントローラｑ０１によって制御される。
【００２６】
ｑ０６はユーザインターフェースであり、ＬＣＤディスプレイとキーボードとから構成されており、コントローラｑ０１から送られた情報の表示を行うとともに、ユーザからの操作入力された情報をコントローラｑ０１に伝える。
【００２７】
ｑ７はＩＣカードなどの可搬性記録媒体の記録情報を読み込むための可搬性記録媒体読取装置であり、コントローラｑ０１により制御される。可搬性記録媒体読取装置ｑ７は、コントローラｑ０１からの指示により可搬性記録媒体へのアクセスを行い、可搬性記録媒体から情報を読み出して、コントローラｑ０１に通知する。
【００２８】
以上のような構成を有する複合機において、プリンタエンジンｑ０４を選択することでプリントジョブの発行が可能となる。また、スキャナエンジンｑ０３を選択することで、スキャンジョブの発行が可能となる。さらに、プリンタエンジンｑ０４とスキャナエンジンｑ０３とを選択することで、コピージョブの発行が可能となる。また、プリンタエンジンｑ０４とスキャナエンジンｑ０３とＦＡＸボードｑ０５とを選択することで、ファクシミリ受信ジョブ及びファクシミリ送信ジョブの発行が可能となる。
【００２９】
図２は、図１に示すコントローラｑ０１の内部構成と、その周辺装置とを示すブロック図である。
【００３０】
コントローラｑ０１は、ＣＰＵｐ０１と、ＲＡＭｐ０２と、ＲＯＭｐ０５と、ＤＩＳＫｐ１０とから構成され、それらがシステムバスｐ２０を介して、通信インターフェースｑ０２と、スキャナエンジンｑ０３と、プリンタエンジンｑ０４と、ＦＡＸボードｑ０５と、ユーザインターフェースｑ０６（ＬＣＤディスプレイｐ０３、キーボードｐ０４）と、可搬性記録媒体読取装置ｑ０７とに相互に接続される。
【００３１】
コントローラｑ０１を制御するプログラムは、ＲＯＭｐ０５またはＤＩＳＫｐ１０に記憶されており、必要に応じてＲＡＭｐ０２に読み出され、ＣＰＵｐ０１によって実行される。また、ＲＯＭｐ０５、ＤＩＳＫｐ１０には、制御プログラム以外に、複合機や該複合機で処理されるジョブの機能及び状態を示す属性情報や出力の対象となるジョブデータなどが記憶されている。
【００３２】
また、ＣＰＵｐ０１がＬＣＤディスプレイｐ０３に対して表示を行うとともに、キーボードｐ０４からユーザ指示を受ける。また、ＣＰＵｐ０１が通信インターフェースｑ０２を介して外部装置と通信を行う。また、ＣＰＵｐ０１は、可搬性記録媒体読取装置ｑ０７を介して可搬性記録媒体と通信を行って、可搬性記録媒体の記憶内容を読み取るとともに、可搬性記録媒体読取装置ｑ０７から可搬性記録媒体の着脱を示す検知情報を受け取る。
【００３３】
図１４は、可搬性記録媒体を用いて複合機において行われる第１の実施の形態における地紋付き文書の印刷処理の手順を示すフローチャートである。
【００３４】
この印刷処理の実行の前提条件として、地紋データを所定の演算方法にて予め暗号化して得られた暗号化地紋データが、可搬性記録媒体に保持されているものとする。なお、該暗号化地紋データは、コントローラｑ０１を制御するプログラムをＣＰＵｐ０１が実行することによって復号化され得るものとする。なお、これらの暗号化および復号化の方法は、本実施の形態における方法に限定されず、共通鍵暗号化方式、公開鍵暗号化方式、またはその他の暗号化方式であってよい。また、暗号化または復号化に必要な鍵の入力を、ユーザがユーザインターフェースｑ０６を用いて、または他の入力方法によって行うようにする入力処理が介在してもよい。
【００３５】
まずステップＴ０１において、複合機のスキャナエンジンｑ０３が原稿を読み取り、画像データ（１）を複合機のＤＩＳＫｐ１０へ格納する。
【００３６】
ステップＴ０２では、複合機のＣＰＵｐ０１が、可搬性記録媒体読取装置ｑ０７からの出力信号に基づき、可搬性記録媒体が可搬性記録媒体読取装置ｑ０７に接続されているか否かを判別する。可搬性記録媒体が装着されていない場合は、ステップＴ０３へ進んで、ＬＣＤディスプレイｐ０３に、可搬性記録媒体を装着するように表示して、ユーザの操作を促し、ステップＴ０２へ戻る。可搬性記録媒体が装着されている場合には、ステップＴ０４へ進む。
【００３７】
ステップＴ０４では、複合機のＣＰＵｐ０１が、可搬性記録媒体に保持されている暗号化された地紋データを、可搬性記録媒体読取装置ｑ０７を介して読み出し、ＲＡＭｐ０２に書き込む。
【００３８】
ステップＴ０５では、ステップＴ０４にてＲＡＭp０２に書き込まれた暗号化された地紋データをＣＰＵｐ０１が読み出し、あらかじめ定義された復号化ロジックにて、あらかじめ定義された復号鍵を利用して地紋データを復号化し、再びＲＡＭｐ０２に書き込む。こうした地紋データの復号化が成功した場合にはステップＴ０７に進み、また、エラー等が発生して復号化に失敗した場合にはステップＴ０６に進む。
【００３９】
ステップＴ０６では、地紋データの取得に失敗した旨をＬＣＤディスプレイｐ０３に表示し、印刷処理を終了する。
【００４０】
ステップＴ０７では、複合機のＣＰＵｐ０１が、ＤＩＳＫｐ１０に記憶されている画像データ（１）を読み出してＲＡＭｐ０２に書き込み、ステップＴ０５にてＲＡＭｐ０２に書き込まれた地紋データと合成して、画像データ（２）を生成する。
【００４１】
ステップＴ０８では、複合機のＣＰＵｐ０１が、ステップＴ０７で生成された画像データ（２）に基づき、プリンタエンジンｑ０４に印刷を行わせ、本処理を終了する。
【００４２】
こうした第１の実施の形態における作用効果については、下記の第２の実施の形態における作用効果の説明において、まとめて行う。
【００４３】
〔第２の実施の形態〕
次に、本発明の第２の実施の形態を説明する。
【００４４】
第２の実施の形態の構成は、第１の実施の形態の構成と類似しているので、第２の実施の形態の説明においては、第１の実施の形態の構成と同一部分についてはその説明を省略し、異なる部分だけを説明する。
【００４５】
図３は、可搬性記録媒体読取装置ｑ０７に装着される可搬性記録媒体のハードウェア構成を示すブロック図である。ただしここでは、可搬性記録媒体がＩＣカードである場合を示す。
【００４６】
図３においてｔ０１はＣＰＵであり、ＲＡＭｔ０２とＲＯＭｔ０３とＥＥＰＲＯＭｔ０４とにシステムバスｔ０５を介して接続されている。ＲＡＭｔ０２は、ＣＰＵｔ０１がデータ処理に利用するメモリであり、ＲＯＭｔ０３は、ＣＰＵｔ０１によって実行されるプログラムを記憶する。ＥＥＰＲＯＭｔ０４は、アプリケーション情報などの情報を記憶する。
【００４７】
図４は、図３に示す不揮発性メモリＥＥＰＲＯＭｔ０４におけるファイルフォーマットを示す図である。
【００４８】
図４において１０１は、ＥＥＰＲＯＭｔ０４に、地紋データが記憶されていることを示す情報を記憶するための専用ファイル領域（ＤＦ）である。１０２は、地紋データを記憶するためのエレメンタリファイル領域である。エレメンタリファイル領域１０２は、識別子Ｆ０により識別され、個人認証用の個人識別番号（personal identification number）を示す数字列からなるＰＩＮコード（例えば１２３４）により保護されている。本実施の形態では、エレメンタリファイル領域１０２に、ＩＣカードの所有者個人を特定することが可能な地紋のデータが記憶されている。
【００４９】
なお、エレメンタリファイル領域１０２がＰＩＮコードにより保護されない別の実施の形態もあり得る。しかし、ＩＣカードから地紋データを取得するためには特定のプロトコルに従った取得処理が必要であることや、地紋データが暗号化されていることによって、ＩＣカード内の地紋データの機密が保護される。
【００５０】
図５は、上記のＩＣカードを用いて複合機において行われる第２の実施の形態における地紋付き文書の印刷処理の手順を示す図である。
【００５１】
図５において２０１はＩＣカードであり、図３および図４で示したＩＣカードに相当し、また２０５は複合機であり、図１および図２で示した第１の実施の形態における複合機に相当する。
【００５２】
ＩＣカード２０１には、該ＩＣカード２０１の所有者個人を特定することが可能な地紋データ２０３が記憶されている。複合機２０５は、スキャナエンジンｑ０３を用いて原稿２０２を読み取り、また、可搬性記録媒体読取装置ｑ０７を介してＩＣカード２０１から地紋データ２０３を読み取る。そして読み取った画像データ（１）２０４と地紋データ２０３とを合成して印刷を行い、地紋付き文書２０６を出力する。
【００５３】
図６は、図５に示す複合機２０５において行われる第２の実施の形態における地紋付き文書の印刷処理の手順を示すフローチャートである。
【００５４】
まずステップＳ４０１において、複合機２０５のスキャナエンジンｑ０３が原稿２０２を読み取り、画像データ（１）２０４を複合機２０５のＤＩＳＫｐ１０へ格納する。
【００５５】
ステップＳ４０２では、複合機２０５のＣＰＵｐ０１が、可搬性記録媒体読取装置ｑ０７からの出力信号に基づき、ＩＣカードが可搬性記録媒体読取装置ｑ０７に装着されているか否かを判別する。ＩＣカードが装着されていない場合は、ステップＳ４０３へ進んで、ＬＣＤディスプレイｐ０３に、ＩＣカードを装着するように表示して、ユーザの操作を促し、ステップＳ４０２へ戻る。ＩＣカードが装着されている場合には、ステップＳ４０４へ進む。
【００５６】
ステップＳ４０４では、キーボードｐ０４を介してユーザから入力されたＰＩＮコードに対して、ＩＣカード２０１のＰＩＮコードに基づきユーザ認証を行う。その結果、ＰＩＮ認証が成功しない場合、ステップＳ４０８へ進んで、ＬＣＤディスプレイｐ０３にＰＩＮ認証失敗表示を行い、本処理を終了する。ＰＩＮ認証が成功した場合には、ステップＳ４０５へ進む。なお、エレメンタリファイル領域１０２がＰＩＮコードによって保護されていない場合には、ステップＳ４０４の処理実行は省略される。
【００５７】
ステップＳ４０５では、複合機２０５のＣＰＵｐ０１が、ＩＣカード２０１のＥＥＰＲＯＭｔ０４に保持されている地紋データ２０３を、ＣＰＵｐ０１が可搬性記録媒体読取装置ｑ０７に対し、所定のプロトコルによって取得コマンドを送信し、地紋データを読み出し、ＲＡＭｐ０２に書き込む。また、地紋データが暗号化されている場合には、ＣＰＵｐ０１による復号化処理が行われた後、地紋データをＲＡＭｐ０２に書き込む。
【００５８】
ステップＳ４０６では、複合機２０５のＣＰＵｐ０１が、ＤＩＳＫｐ１０に記憶されている画像データ（１）２０４を読み出してＲＡＭｐ０２に書き込み、ステップＳ４０５にてＲＡＭｐ０２に書き込まれた地紋データ２０３と合成して、画像データ（２）を生成する。
【００５９】
ステップＳ４０７では、複合機２０５のＣＰＵｐ０１が、ステップＳ４０６で生成された画像データ（２）に基づき、プリンタエンジンｑ０４に印刷を行わせ、本処理を終了する。
【００６０】
図７は、図５に示す複合機２０５によって作成される地紋付き文書の一例を示す図である。
【００６１】
６０１は、文書を表す、地紋を含まない画像データであり、６０２は、ＩＣカード内に記憶された地紋データである。この地紋データ６０２は、印刷者（ＩＣカード所有者）の名前や識別符号（例えばＡＢＣＤ）と地模様とからなる画像を表すデータである。この印刷者の名前や識別符号は、印刷後の複写において画像として複写結果の印刷物に残存し、地模様は印刷後の複写において画像として複写結果の印刷物に残存せず消失してしまうように、それらのデータが構成されている。
【００６２】
なお、地紋データ６０２によって表される画像を小さく設定するようにしてもよい。そして画像データ６０１と地紋データ６０２との合成の際に、画像データ６０１によって印刷される文書の用紙及び印刷可能サイズに合わせて、地紋データ６０２によって表される小画像が用紙上に連続して印刷されるように合成を行うようにしてもよい。これにより、ＩＣカード内に記憶されるべき地紋データのデータサイズを小さくすることが可能となり、記録容量の少ないＩＣカードを使用することが可能となるとともに、各種サイズの用紙に対して地紋画像を印刷することが可能となる。
【００６３】
６０３は、図６のステップＳ４０６，Ｓ４０７に相当する合成印刷処理を表し、この合成印刷処理６０３によって、地紋付き印刷物６０４が生成される。この地紋付き印刷物６０４においては、画像データ６０１及び地紋データ６０２に基づく両画像の合成印刷が行われているが、この地紋付き印刷物６０４においては、画像データ６０１に基づき印刷された画像（図７に示す例では破線）だけが鮮明に目視され得、地紋データ６０２に基づき印刷された画像は、用紙の単なる背景模様のようになっていて、特に、その地模様画像に含まれる印刷者の名前や識別符号（例えばＡＢＣＤ）はほとんど目視され得ないようになっている。
【００６４】
次に、こうした地紋付き印刷物６０４に対して一般の複写機によって複写処理６０５を行った場合、得られる複写結果の印刷物６０６においては、地紋データ６０２に基づく地模様の画像は消えてしまい、地紋データ６０２に基づく印刷者の名前や識別符号（例えばＡＢＣＤ）の残存する画像が鮮明に浮かび上がる。なお無論、画像データ６０１に基づき印刷された画像（図７に示す例では破線）は、鮮明に目視され得る。
【００６５】
これにより、この印刷物６０６は、印刷者ＡＢＣＤによって印刷された原本を複写したものであることが明示される。したがって、第１及び第２の実施の形態では、複写物６０６が原本として扱われることが防止され、その結果、原本である地紋付き印刷物６０４の複写を抑制することができる。また、原本と思われる文書を複写することにより、原本の出所である作成者を証明することができると共に、その文書こそが複写物の原本であることを証明することができるので、文書の出所証明および原本証明を容易に実現できる。
【００６６】
しかも、個人証明、即ち原本の作成者証明を可能にする地紋データは可搬性記録媒体に格納され、ユーザが各個人固有の情報を書き込むことができる。このユーザは、使用者本人であっても、管理者であってもよい。また、該可搬性記録媒体は、ユーザが書き込み可能な可搬性記録媒体であってもよい。よって、ユーザは、各個人固有の情報を、追加書き込み、全情報もしくは一部情報の書き換えを行うことが可能である。該可搬性記録媒体から地紋データを読み出すためには、ユーザ認証処理または特定のプロトコルに従った取得処理が必要になる。また地紋データそのものが暗号化されている。そうした特徴により、第１及び第２の実施の形態では、地紋データの機密性が確保され得る。
【００６７】
なお、上記の第２の実施の形態では、ＩＣカードが可搬性記録媒体読取装置ｑ０７に装着される、いわゆる接触式の構成となっているが、これに代わって、「ＴｙｐｅＡ，ＴｙｐｅＢ，ＴｙｐｅＣ」と呼ばれるような非接触式ＩＣカードや、その他の形態の非接触ＩＣカードを使用するようにしてもよい。その場合、ＩＣカードが複合機から所定距離の範囲内に位置するか否かを判断し、位置する場合にＰＩＮ認証及び地紋データの取得処理を行うようにすればよい。
【００６８】
また、上記の第１の実施の形態における可搬性記録媒体は、磁気カード、ＲＦＩＤ（Radio Frequency Identification）等の媒体であって、地紋データが予め記憶されているものであってもよい。特に、磁気カードやＲＦＩＤなどは、データの記憶に特殊な装置を利用し、またプロトコルも様々である。そのような可搬性記録媒体を用い、可搬性記録媒体の製造時または出荷時に、可搬性記録媒体毎に異なるユニークな地紋データを記録する形態を採用すれば、可搬性記録媒体と地紋データとが一対一に関連付けられる。そのような場合、地紋データは可搬性記録媒体の持ち主毎に異なり、また特定の地紋データはその持ち主に関連付けられるため、出所の証明としての効果が高まる。
【００６９】
〔第３の実施の形態〕
次に、本発明の第３の実施の形態を説明する。
【００７０】
第３の実施の形態の構成は、第１及び第２の実施の形態の構成と類似しているので、第３の実施の形態の説明においては、第１及び第２の実施の形態の構成と同一部分についてはその説明を省略し、異なる部分だけを説明する。
【００７１】
図８は、第３の実施の形態に係る印刷システムの構成を示すブロック図である。
【００７２】
印刷システムは、複合機ｓ０１とＰＣ（パーソナルコンピュータ）ｓ０２，ｓ０３とで構成される。複合機ｓ０１は、図１及び図２に示す第１の実施の形態における複合機と同一の構成を備え、ネットワークｓ０４を介して、画像生成装置であるＰＣｓ０２，ｓ０３に接続される。
【００７３】
図９は、図８に示すＰＣｓ０２，ｓ０３の内部構成を示すブロック図である。ＰＣｓ０２，ｓ０３は同一の構成を備えているので、その１つの内部構成を示す。
【００７４】
図９において、ＣＰＵｒ０１と、ＲＡＭｒ０２と、ＬＣＤディスプレイｒ０３と、キーボードｒ０４と、ＲＯＭｒ０５と、通信インターフェースｒ０６と、ＤＩＳＫｒ０７と、可搬性記録媒体読取装置ｒ０８とが、システムバスｒ２０を介して相互に接続されている。
【００７５】
ＰＣ全体を制御するプログラムは、ＲＯＭｒ０５またはＤＩＳＫｒ０７に記憶されており、必要に応じてＲＡＭｒ０２に読み出され、ＣＰＵｒ０１によって実行される。また、ＣＰＵｒ０１が、可搬性記録媒体読取装置ｒ０８を介して、該可搬性記録媒体読取装置ｒ０８に装着された可搬性記録媒体と通信を行い、可搬性記録媒体の記憶内容を読み出したり、可搬性記録媒体に情報を書き込んだりする。またＣＰＵｒ０１は可搬性記録媒体読取装置ｒ０８から、可搬性記録媒体の着脱を示す検知信号を受け取る。
【００７６】
第３の実施の形態では、印刷を行うべく画像データを生成及び合成するためのプログラムがＲＯＭｒ０５またはＤＩＳＫｒ０７に記憶されており、このプログラムがＲＡＭｒ０２に読み出され、ＣＰＵｒ０１によって実行されて画像データが生成され、この画像データが、通信インターフェースｒ０６とネットワークｓ０４とを介して複合機ｓ０１に送信され、複合機ｓ０１において印刷される。
【００７７】
図１０は、可搬性記録媒体を用いてＰＣｓ０２，ｓ０３（画像生成装置）において行われる第３の実施の形態における地紋付き文書の印刷制御の手順を示す図である。
【００７８】
図１０において３０１は可搬性記録媒体であり、第１の実施の形態における可搬性記録媒体または図３および図４で示した第２の実施の形態におけるＩＣカードに相当する。また、図１０においては、ＰＣｓ０２を例に挙げて動作説明を行なうが、ＰＣｓ０３であっても全く同一の動作を行う。
【００７９】
可搬性記録媒体３０１には、第２の実施の形態におけるＩＣカード２０１と同様に、該可搬性記録媒体３０１の所有者個人を特定することが可能な地紋データ３０３が記憶されている。ユーザは、各個人固有の情報を用いて地紋データを該可搬性記録媒体３０１に書き込むことができる。このユーザは、使用者本人であっても、管理者であってもよい。また、ユーザは、各個人固有の情報を、追加書き込み、全情報もしくは一部情報の書き換えを行うことが可能である。
【００８０】
ＰＣｓ０２では、ＣＰＵｒ０１による画像データの生成合成プログラムの実行により、画像データ（１）３０２が生成される。また、ＣＰＵｒ０１は、可搬性記録媒体読取装置ｒ０８を介して可搬性記録媒体３０１から地紋データ３０３を読み取る。そしてＣＰＵｒ０１は、生成された画像データ（１）３０２と、読み取った地紋データ３０３とを合成して、画像データ（２）３０７を生成する。この画像データ（２）３０７は、通信インターフェースｒ０６とネットワークｓ０４とを介して複合機ｓ０１に送信され、複合機ｓ０１は、画像データ（２）３０７に基づき印刷を行い、地紋付き文書３０５を出力する。
【００８１】
なお、第１または第２の実施の形態と同じように、可搬性記録媒体３０１を複合機ｓ０１の可搬性記録媒体読取装置ｒ０８に装着して、地紋データ３０３を複合機ｓ０１で読み取り、一方、ＰＣｓ０２から複合機ｓ０１へ、画像データ（１）３０２を送信し、複合機ｓ０１において地紋データ３０３と画像データ（１）３０２とを合成し、地紋付き文書３０５を出力するようにしてもよい。
【００８２】
図１１は、図１０に示すＰＣｓ０２において行われる第３の実施の形態における地紋付き文書の作成処理の手順を示すフローチャートである。
【００８３】
まずステップＳ５０１において、ＰＣｓ０２のＣＰＵｒ０１が、該ＰＣｓ０２で生成された画像データ（１）３０２、またはＤＩＳＫｒ０７に記憶されている画像データ（１）３０２を、ＲＡＭｒ０２に書き込む。
【００８４】
ステップＳ５０２では、ＰＣｓ０２のＣＰＵｒ０１が、可搬性記録媒体読取装置ｒ０８からの出力信号に基づき、可搬性記録媒体が可搬性記録媒体読取装置ｒ０８に装着されているか否かを判別する。可搬性記録媒体が装着されていない場合は、ステップＳ５０３へ進んで、ＬＣＤディスプレイｒ０３に、可搬性記録媒体を装着するように表示して、ユーザの操作を促し、ステップＳ５０２へ戻る。一方、可搬性記録媒体がＩＣカードであり、ＰＩＮコードによって、地紋データの格納されるエレメンタリファイル領域が保護されている場合は、該ＩＣカードが挿入されていればステップＳ５０４へ進む。なお、可搬性記録媒体が装着されているが、可搬性記録媒体がＩＣカードでない場合や、可搬性記録媒体がＩＣカードであっても、ＰＩＮコードによってエレメンタリファイル領域が保護されていない場合は、ステップＳ５０４を飛ばしてステップＳ５０５へ進む。
【００８５】
ステップＳ５０４では、キーボードｒ０４を介してユーザから入力されたＰＩＮコードに対して、可搬性記録媒体３０１のＰＩＮコードに基づきユーザ認証を行う。その結果、ＰＩＮ認証が成功しない場合、ステップＳ５１０へ進んで、ＬＣＤディスプレイｒ０３にＰＩＮ認証失敗表示を行い、本処理を終了する。ＰＩＮ認証が成功した場合には、ステップＳ５０５へ進む。
【００８６】
ステップＳ５０５では、ＰＣｓ０２のＣＰＵｒ０１が、可搬性記録媒体３０１に保持されている地紋データ３０３を、可搬性記録媒体読取装置ｒ０８を介して読み出し、ＲＡＭｒ０２に書き込む。また、可搬性記録媒体３０１に記憶されている地紋データ３０３が暗号化されている場合は、予め定義された復号化ロジックにて、予め定義された復号鍵を利用して地紋データ３０３を復号化し、ＲＡＭｒ０２に書き込む。なお、これらの暗号化および復号化の方法は、本実施の形態における方法に限定されず、共通鍵暗号化方式、公開鍵暗号化方式、またはその他の暗号化方式であってよい。また、暗号化または復号化に必要な鍵の入力を、ユーザがユーザインターフェースｑ０６を用いて、または他の入力方法によって行うようにする入力処理が介在してもよい。
【００８７】
ステップＳ５０６では、ＰＣｓ０２のＣＰＵｒ０１が、ＲＡＭｒ０２に書き込まれている画像データ（１）３０２を、ステップＳ５０５にてＲＡＭｒ０２に書き込まれた地紋データ３０３と合成して、画像データ（２）３０７を生成する。
【００８８】
なお、地紋データ３０３に対応する画像は、任意の大きさや数で設定される。例えば、画像データ（１）３０２と地紋データ３０３との合成の際に、画像データ（１）３０２によって印刷される文書の用紙及び印刷可能サイズに合わせて、地紋データ３０３によって表される小画像が用紙上に連続して複数個印刷されるように合成を行うようにしてもよい。これにより、可搬性記録媒体３０１内に記憶されるべき地紋データ３０３のデータサイズを小さくすることが可能となり、記録容量の少ない可搬性記録媒体を使用することが可能となるとともに、各種サイズの用紙に対して地紋画像を印刷することが可能となる。
【００８９】
ステップＳ５０７では、ＰＣｓ０２のＣＰＵｒ０１が、ステップＳ５０６で生成された画像データ（２）３０７を、ネットワークｓ０４と通信インターフェースｒ０６とを介して複合機ｓ０１へ送信し、本処理を終了する。
【００９０】
図１２は、図１１に示すステップＳ５０７において送信された画像データ（２）３０７を受信した複合機ｓ０１側での印刷処理の手順を示すフローチャートである。
【００９１】
ステップＳ５０８では、複合機ｓ０１が、図１１に示すステップＳ５０７においてＰＣｓ０２から送信された画像データ（２）３０７を、通信インターフェースｑ０２を介して受信する。
【００９２】
ステップＳ５０９では、複合機ｓ０１が、ステップＳ５０８にて受信した画像データ（２）３０７に基づいてプリンタエンジンｑ０４に印刷を行わせ、紋付き文書３０５を出力し、本処理を終了する。
【００９３】
これにより、第３の実施の形態における紋付き文書３０５も、第２の実施の形態における地紋付き文書２０６と同様に、図７に示すように、文書の出所証明および原本証明を容易に実現できる。しかも、個人証明を可能にする地紋データは可搬性記録媒体に格納され、該可搬性記録媒体から地紋データを読み出すためには、ユーザ認証処理または特定のプロトコルに従った取得処理が必要になる。また地紋データそのものが暗号化されている。そうした特徴により、第３の実施の形態でも、地紋データの機密性が確保され得る。
【００９４】
なお、上記の第３の実施の形態では、可搬性記録媒体がＩＣカードである場合、ＩＣカードが可搬性記録媒体読取装置ｒ０８に装着される、いわゆる接触式の構成となっているが、これに代わって、非接触式ＩＣカードを使用するようにしてもよい。その場合、ＩＣカードが複合機から所定距離の範囲内に位置するか否かを判断し、位置する場合にＰＩＮ認証及び地紋データの取得処理を行うようにすればよい。
【００９５】
また、第３の実施の形態では、可搬性記録媒体３０１からの地紋データ３０３の読み取りや、地紋データ３０３と画像データ（１）３０２との合成をＰＣｓ０２（またはＰＣｓ０３）で行い、合成された画像データ（２）３０７を複合機ｓ０１に送信するようにしている。しかし、これに代わって、可搬性記録媒体３０１からの地紋データ３０３を複合機ｓ０１で読み取るようにする。そして、ＰＣｓ０２（またはＰＣｓ０３）からは、画像データ（１）３０２のみを複合機ｓ０１に送信し、複合機ｓ０１において地紋データ３０３と画像データ（１）３０２とを合成するようにしてもよい。
【００９６】
〔第４の実施の形態〕
次に、本発明の第４の実施の形態を説明する。
【００９７】
第４の実施の形態の構成は、第１及び第２の実施の形態の構成と類似しているので、第４の実施の形態の説明においては、第１及び第２の実施の形態の構成と同一部分についてはその説明を省略し、異なる部分だけを説明する。
【００９８】
第４の実施の形態では、印刷物における地紋データの印刷位置を指定できるようにする。
【００９９】
図１３は、第４の実施の形態における複合機のＬＣＤディスプレイに表示される画面を示す図である。
【０１００】
図１３において７０１は、複合機のＬＣＤディスプレイｐ０３に表示される画面であり、７０２は、印刷されるべき地紋付き文書２０６のレイアウト枠である。７０３は、印刷者の名前や識別符号と地模様とからなる地紋画像である。
【０１０１】
第４の実施の形態では、キーボードｐ０４を介したユーザの指示により、レイアウト枠７０２内のどの位置に地紋画像７０３を印刷すべきかを指定することができるようにする。
【０１０２】
すなわち、画像データ（１）に地紋データを合成した場合、画像データ（１）に基づく画像に、地紋データに基づく画像が重なり、画像データ（１）に基づく画像が見難くなってしまうことがあり得る。そこで、第４の実施の形態では、レイアウト枠７０２内のどの位置に地紋画像７０３を印刷すべきかを指定することにより、画像データ（１）に基づく画像が見難くならない位置に地紋データに基づく画像を移動でき、画像をより見やすくすることが可能となる。
【０１０３】
〔第５の実施の形態〕
つぎに、本発明の第５の実施の形態を説明する。
【０１０４】
第５の実施の形態の構成は、基本的に第２の実施の形態の構成と同じであるので、第５の実施の形態の説明においては、第２の実施の形態の構成と同一部分についてはその説明を省略し、異なる部分だけを説明する。
【０１０５】
第５の実施の形態では、地紋データ２０３をＩＣカード２０１内で生成する。
【０１０６】
第５の実施の形態におけるＩＣカード２０１では、ＣＰＵｔ０１が公開鍵暗号化方式の演算を行うことが可能であり、演算に利用される秘密鍵はＥＥＰＲＯＭｔ０４に記録されている。また、秘密鍵および公開鍵は、ＩＣカード２０１の保持する鍵生成機能によって、ＣＰＵｔ０１が生成するとともに、秘密鍵を外部に取り出すことはできない。
【０１０７】
ＩＣカード２０１では、公開鍵暗号化方式による演算を行う場合、入力値と内部に保持する秘密鍵または公開鍵とを用いて演算処理を行う。
【０１０８】
本実施の形態においては、ＲＯＭｔ０３に記憶されている地紋データ作成プログラムをＣＰＵt０１が実行することによって、入力値と秘密鍵とを用いて公開鍵演算が行われ、演算結果のデータが地紋データに変換されてＥＥＰＲＯＭｔ０４に書き込まれる。
【０１０９】
図１５は、第５の実施の形態におけるＩＣカード２０１内で行われる地紋データ作成処理の手順を示すフローチャートである。
【０１１０】
ステップＵ０１では、複合機のユーザインターフェースｑ０６を介してユーザから入力された公開鍵暗号化方式に利用するための入力値が、可搬性記録媒体読取装置ｑ０７を介してＩＣカード２０１に送られ、ＩＣカード２０１内のＣＰＵｔ０１が、この入力値をＲＡＭｔ０２に書き込む。
【０１１１】
ステップＵ０２では、ＣＰＵｔ０１が、ＥＥＰＲＯＭｔ０４に予め記録されている秘密鍵を取得し、ＲＡＭｔ０２に書き込まれた入力値に対して公開鍵暗号化演算を行い、暗号化データを作成する。
【０１１２】
ステップＵ０３では、ＣＰＵｔ０１が、ＲＯＭｔ０３に記憶されている地紋データ作成プログラムを実行して、暗号化データを地紋データに変換する。すなわち、暗号化データを文字列とみなし、この文字列を消失した模様とするとともに、エレメンタリファイル領域１０２に記憶されたＩＣカードの所有者個人を特定することが可能な特定情報（例えば地紋データ）を、印刷後の複写時に残存する画像（例えば模様画像）のデータとして地紋データを生成する。
【０１１３】
なお、ＲＯＭt０３に記憶されているプログラムによって乱数を発生し、これを暗号化の入力値として利用するようにしてもよい。また、暗号化処理を行わず、プログラムによって、エレメンタリファイル領域１０２に記憶された特定情報を基に地紋データを作成するようにしてもよい。本実施の形態では、ＩＣカード内部のプログラム及びＣＰＵを利用して地紋データを生成する特徴さえ備えていれば、暗号化方法、変換方法、入力方法等は、他の方法であってもよい。
【０１１４】
ステップＵ０４では、ステップＵ０３で生成された地紋データを、エレメンタリファイル領域１０２の地紋データ記録領域に記録し、地紋データ生成処理を終了する。
【０１１５】
なお、この地紋データを、所定の暗号化方式によって暗号化し、記録するようにしてもよい。
【０１１６】
このように、第５の本実施の形態では、ＩＣカード内の演算装置によって、地紋データそのものを生成する。これにより、予め生成された地紋データをＩＣカードに記録する方法に比較して、地紋データが外部に漏洩する可能性が低く、機密性をより保つことが可能となる。
【０１１７】
また、第５の本実施の形態では、地紋データ生成時に、ＩＣカード内に保持された秘密鍵を用いて演算を行う。すなわち、地紋模様は、ＩＣカードを利用しないと作成できないものであり、したがって、こうした地紋模様の上に印刷された文書は、明確な出所証明のなされた文書となる。
【０１１８】
なお、本実施の形態におけるＩＣカードは、演算機能さえ備えていれば、接触、非接触のどちらの方式のＩＣカードであってもよい。
【０１１９】
〔他の実施の形態〕
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１２０】
この場合、記憶媒体から読み出されたプログラムコード自体が前述した各実施の形態の機能を実現することになり、そのプログラムコード及び該プログラムコードを記憶した記憶媒体は本発明を構成することになる。
【０１２１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１２２】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１２３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【０１２４】
【図１】本発明の第１の実施の形態に係る印刷装置としての複合機の構成を示すブロック図である。
【図２】図１に示すコントローラの内部構成と、その周辺装置とを示すブロック図である。
【図３】可搬性記録媒体読取装置に装着される可搬性記録媒体のハードウェア構成を示すブロック図である。
【図４】図３に示す不揮発性メモリＥＥＰＲＯＭにおけるファイルフォーマットを示す図である。
【図５】ＩＣカードを用いて複合機において行われる第２の実施の形態における地紋付き文書の印刷処理の手順を示す図である。
【図６】図５に示す複合機において行われる第２の実施の形態における地紋付き文書の印刷処理の手順を示すフローチャートである。
【図７】図５に示す複合機によって作成される地紋付き文書の一例を示す図である。
【図８】第３の実施の形態に係る印刷システムの構成を示すブロック図である。
【図９】図８に示すＰＣの内部構成を示すブロック図である。
【図１０】可搬性記録媒体を用いてＰＣｓ（画像生成装置）において行われる第３の実施の形態における地紋付き文書の印刷制御の手順を示す図である。
【図１１】図１０に示すＰＣにおいて行われる第３の実施の形態における地紋付き文書の作成処理の手順を示すフローチャートである。
【図１２】図１１に示すステップＳ５０７において送信された画像データ（２）を受信した複合機側での印刷処理の手順を示すフローチャートである。
【図１３】第４の実施の形態における複合機のＬＣＤディスプレイに表示される画面を示す図である。
【図１４】可搬性記録媒体を用いて複合機において行われる第１の実施の形態における地紋付き文書の印刷処理の手順を示すフローチャートである。
【図１５】第５の実施の形態におけるＩＣカード２０１内で行われる地紋データ作成処理の手順を示すフローチャートである。
【符号の説明】
【０１２５】
ｐ０１  ＣＰＵ
ｐ０２  ＲＡＭ
ｐ０３  ＬＣＤディスプレイ
ｐ０４  キーボード
ｐ０５  ＲＯＭ
ｐ１０  ＤＩＳＫ
ｐ２０  システムバス
ｑ０１  コントローラ（合成手段）
ｑ０２  通信インターフェース
ｑ０３  スキャナエンジン（取得手段）
ｑ０４  プリンタエンジン（印刷手段）
ｑ０５  ＦＡＸボード
ｑ０６  ユーザインターフェース
ｑ０７  可搬性記録媒体読取装置（読出手段）
ｒ０１  ＣＰＵ（合成手段、生成手段）
ｒ０２  ＲＡＭ
ｒ０３  ＬＣＤ
ｒ０４  キーボード
ｒ０５  ＲＯＭ
ｒ０６  通信インターフェース
ｒ０７  ＤＩＳＫ
ｒ０８  可搬性記録媒体読取装置（読出手段）
ｒ２０  システムバス
ｓ０１  複合機（印刷装置）
ｓ０２  ＰＣ（情報処理装置）
ｓ０３  ＰＣ（情報処理装置）
ｓ０４  ネットワーク
２０１  ＩＣカード（可搬性記録媒体）
２０２  原稿
２０３  地紋データ
２０４  画像データ（１）
２０５  複合機
２０６  地紋付き文書
３０１  可搬性記録媒体
３０２  画像データ（１）
３０３  地紋データ
３０５  地紋付き文書
３０７  画像データ（２）
【図１】
2006236312.tif 000003
【図２】
2006236312.tif 000004
【図３】
2006236312.tif 000005
【図４】
2006236312.tif 000006
【図５】
2006236312.tif 000007
【図６】
2006236312.tif 000008
【図７】
2006236312.tif 000009
【図８】
2006236312.tif 000010
【図９】
2006236312.tif 000011
【図１０】
2006236312.tif 000012
【図１１】
2006236312.tif 000013
【図１２】
2006236312.tif 000014
【図１３】
2006236312.tif 000015
【図１４】
2006236312.tif 000016
【図１５】
2006236312.tif 000017